(57)【要約】【課題】シールド層を有する電線管において、優れた屈曲性を有し、シールド層を流れるコモンモードノイズ電流による電磁波ノイズを抑制することができるノイズ抑制機能付き電線管を提供する。【解決手段】ノイズ抑制機能付き電線管１は、樹脂管２と、樹脂管２の外周に管長手方向に沿って所定の間隔Ｄを設けて形成された所定の幅Ｗの複数の内側磁性テープ層３Ａと、樹脂管２及び複数の内側磁性テープ層３Ａの外周に設けられた内側樹脂テープ層４Ａと、内側樹脂テープ層４Ａの外周に設けられたシールド層５と、シールド層５の外周に設けられた外側樹脂テープ層４Ｂと、外側樹脂テープ層４Ｂの外周に管長手方向に沿って所定の間隔Ｄを設けて形成された所定の幅Ｗの複数の外側磁性テープ層３Ｂと、外側樹脂テープ層４Ｂ及び複数の外側磁性テープ層３Ｂの外側に形成された樹脂等からなるシース６とを備える。【選択図】図１
2016226219.tif 000002
【特許請求の範囲】
【請求項１】
樹脂から形成された樹脂管と、
前記樹脂管の外周に管長手方向に沿って所定の間隔を設けて形成された複数の内側磁性体層と、
前記樹脂管及び前記複数の内側磁性体層の外周に設けられた内側絶縁層と、
前記内側絶縁層の外周に設けられたシールド層と、
前記シールド層の外周に設けられた外側絶縁層と、
前記外側絶縁層の外周に管長手方向に沿って所定の間隔を設けて形成された複数の外側磁性体層と、
を備えたノイズ抑制機能付き電線管。
【請求項２】
前記内側磁性体層と前記外側磁性体層は、管長手方向において重なる領域を有する、
請求項１に記載のノイズ抑制機能付き電線管。
【請求項３】
樹脂から形成された樹脂管と、
前記樹脂管の外周に管長手方向に沿って所定の間隔を設けて形成された複数の磁性体層と、
前記樹脂管及び前記複数の磁性体層の外周に設けられた絶縁層と、
前記絶縁層の外周に設けられたシールド層と、
を備えたノイズ抑制機能付き電線管。
【請求項４】
樹脂から形成された樹脂管と、
前記樹脂管の外周に設けられたシールド層と、
前記樹脂管の外周に設けられた絶縁層と、
前記絶縁層の外周に管長手方向に沿って所定の間隔を設けて形成された複数の磁性体層と、
を備えたノイズ抑制機能付き電線管。
【発明の詳細な説明】
【技術分野】
【０００１】
本発明は、ノイズ抑制機能付き電線管に関する。
【背景技術】
【０００２】
従来、インバータとモータとを接続するケーブルから放射される電磁波ノイズを抑制するため、シールド層を備えた電線管内にケーブルを挿通させたノイズ抑制構造が知られている（例えば、特許文献１参照。）。
【０００３】
従来のノイズ抑制構造の電線管は、パンチングメタルを用いてシールド層を構成しており、これにより電磁波を遮断する効果が得られる。
【先行技術文献】
【特許文献】
【０００４】
【特許文献１】特開平６−３２７２６１号公報
【発明の概要】
【発明が解決しようとする課題】
【０００５】
しかし、従来の電線管は、シールド層がコモンモードノイズ電流が流れる経路となり、シールド層のみではコモンモードノイズ電流による電磁波ノイズを十分に抑制できない。
【０００６】
そこで、本発明の目的は、シールド層を有する電線管において、優れた屈曲性を有し、シールド層を流れるコモンモードノイズ電流による電磁波ノイズを抑制することができるノイズ抑制機能付き電線管を提供することにある。
【課題を解決するための手段】
【０００７】
［１］樹脂から形成された樹脂管と、前記樹脂管の外周に管長手方向に沿って所定の間隔を設けて形成された複数の内側磁性体層と、前記樹脂管及び前記複数の内側磁性体層の外周に設けられた内側絶縁層と、前記内側絶縁層の外周に設けられたシールド層と、前記シールド層の外周に設けられた外側絶縁層と、前記外側絶縁層の外周に管長手方向に沿って所定の間隔を設けて形成された複数の外側磁性体層と、を備えたノイズ抑制機能付き電線管。
［２］前記内側磁性体層と前記外側磁性体層は、管長手方向において重なる領域を有する、前記［１］に記載のノイズ抑制機能付き電線管。
［３］樹脂から形成された樹脂管と、前記樹脂管の外周に管長手方向に沿って所定の間隔を設けて形成された複数の磁性体層と、前記樹脂管及び前記複数の磁性体層の外周に設けられた絶縁層と、前記絶縁層の外周に設けられたシールド層と、を備えたノイズ抑制機能付き電線管。
［４］樹脂から形成された樹脂管と、前記樹脂管の外周に設けられたシールド層と、前記樹脂管の外周に設けられた絶縁層と、前記絶縁層の外周に管長手方向に沿って所定の間隔を設けて形成された複数の磁性体層と、を備えたノイズ抑制機能付き電線管。
【発明の効果】
【０００８】
本発明によれば、シールド層を有する電線管において、優れた屈曲性を有し、シールド層を流れるコモンモードノイズ電流による電磁波ノイズを抑制することができる。
【図面の簡単な説明】
【０００９】
【図１】図１は、本発明の実施の形態に係るノイズ抑制機能付き電線管を示し、（ａ）は正面図、（ｂ）は断面図である。
【図２】図２は、図１に示すノイズ抑制機能付き電線管の使用状態を示し、（ａ）はコモンモードノイズ電流が電線管の外側を流れるモードを示す模式図、（ｂ）はコモンモードノイズ電流が電線管の内側を流れるモードを示す模式図である。
【発明を実施するための形態】
【００１０】
以下、本発明の実施の形態について図面を参照して説明する。
【００１１】
［実施の形態］
図１は、本発明の実施の形態に係るノイズ抑制機能付き電線管を示し、（ａ）は正面図、（ｂ）は断面図である。
【００１２】
このノイズ抑制機能付き電線管１（以下、単に「電線管１」という場合もある。）は、樹脂から形成された樹脂管２と、樹脂管２の外周に管長手方向に沿って所定の間隔Ｄを設けて形成された所定の幅Ｗの複数の内側磁性テープ層３Ａと、樹脂管２及び複数の内側磁性テープ層３Ａの外周に設けられた内側樹脂テープ層４Ａと、内側樹脂テープ層４Ａの外周に設けられたシールド層５と、シールド層５の外周に設けられた外側樹脂テープ層４Ｂと、外側樹脂テープ層４Ｂの外周に管長手方向に沿って所定の間隔Ｄを設けて形成された所定の幅Ｗの複数の外側磁性テープ層３Ｂと、外側樹脂テープ層４Ｂ及び複数の外側磁性テープ層３Ｂの外側に形成された樹脂等からなるシース６とを備える。
【００１３】
ここで、内側磁性テープ層３Ａは、内側磁性体層の一例であり、外側磁性テープ層３Ｂは、外側磁性体層の一例である。内側樹脂テープ層４Ａは、内側絶縁体層の一例であり、外側樹脂テープ層４Ｂは、外側絶縁体層の一例である。
【００１４】
内側磁性テープ層３Ａは、樹脂管２の外周に幅Ｗの磁性テープを両端部が重なるように巻き付け、その重なり部を抵抗溶接することにより形成される。外側磁性テープ層３Ｂは、外側樹脂テープ層４Ｂの外周に幅Ｗの磁性テープを両端部が重なるように巻き付け、その重なり部を抵抗溶接することにより形成される。内側磁性テープ層３Ａ及び外側磁性テープ層３Ｂの磁性テープの幅Ｗは、例えば５〜５０ｍｍが好ましい。内側磁性テープ層３Ａ間の間隔Ｄは、例えば５〜５０ｍｍが好ましい。内側磁性テープ層３Ａ及び外側磁性テープ層３Ｂは、それぞれが管長手方向において重なる領域を有するのが好ましい。
【００１５】
磁性テープを構成する磁性体は、電磁波ノイズを抑制するため、保磁力が小さく透磁率が大きい軟磁性材料からなるものが好ましい。軟磁性材料として、例えば、Ｃｏ基アモルファス合金、Ｆｅ基アモルファス合金等のアモルファス合金、Ｍｎ−Ｚｎ系フェライト、Ｎｉ−Ｚｎ系フェライト、Ｎｉ−Ｚｎ−Ｃｕ系フェライト等のフェライト、Ｆｅ−Ｎｉ系合金（パーマロイ）、Ｆｅ−Ｓｉ−Ａｌ系合金（センダスト）、Ｆｅ−Ｓｉ系合金（珪素鋼）等の軟磁性金属等を用いることができる。
【００１６】
内側樹脂テープ層４Ａは、樹脂管２及び複数の内側磁性テープ層３Ａの外周に樹脂テープをケーブル長手方向に渡って螺旋状に巻き付けることにより形成される。外側樹脂テープ層４Ｂは、シールド層５の外周に樹脂テープをケーブル長手方向に渡って螺旋状に巻き付けることにより形成される。内側樹脂テープ層４Ａ及び外側樹脂テープ層４Ｂの樹脂テープは、例えば、ポリエチレンテレフタレート（ＰＥＴ）、ポリプロピレン系樹脂等の樹脂からなるテープを用いることができる。
【００１７】
シールド層５は、例えば、導線を編組して形成され、グランドに接続される。なお、シールド層５は、導体付きテープを巻き付けたものでもよい。
【００１８】
図２は、図１に示すノイズ抑制機能付き電線管１の使用状態を示し、（ａ）はコモンモードノイズ電流が電線管の外側を流れるモードを示す模式図、（ｂ）はコモンモードノイズ電流が電線管の内側を流れるモードを示す模式図である。
【００１９】
フレーム１３にインバータ１１及びモータ１２が取り付けられており、インバータ１１及びモータ１２のアース線はそれぞれのグランド端子に接続されている。インバータ１１とモータ１２は、例えば３芯の電線の外周にシールド層を有するケーブル１０によって接続されている。ケーブル１０が電線管１の管内に挿通させ、ケーブル１０のシールド層は、インバータ１１のグランド端子及びモータ１２のグランド端子にそれぞれ接続されている。電線管１のシールド層５は、インバータ１１のシールドケース及びモータ１２のシールドケースに接続されている。
【００２０】
インバータ１１は、直流電圧をスイッチング動作によって高周波電圧に変換し、高周波電圧を交流電圧としてケーブル１０を介してモータ１２に供給する。このとき、ケーブル１０の電線から電磁波ノイズが発生し、シールド層５や電線管１にコモンモードノイズ電流が流れる。
【００２１】
コモンモードノイズ電流ｉが、図２（ａ）に示すように、電線管１の外側を流れるモードの場合は、インピーダンスが増加した外側磁性テープ層３Ｂによってコモンモードノイズ電流ｉが低減し、電磁波ノイズが抑制される。
【００２２】
コモンモードノイズ電流ｉが、図２（ｂ）に示すように、電線管１の内側を流れるモードの場合は、インピーダンスが増加した内側磁性テープ層３Ａによってコモンモードノイズ電流ｉが低減し、電磁波ノイズが抑制される。
【００２３】
（実施の形態の作用、効果）
本実施の形態によれば、以下の作用、効果を奏する。
（１）シールド層５の内側に内側磁性テープ層３Ａを設け、シールド層５の外側に外側磁性テープ層３Ｂを設けているため、コモンモードノイズ電流ｉが電線管１の外側を流れるモードの場合や電線管１の内側を流れるモードの場合でも、コモンモードノイズ電流を低減でき、これにより電磁波ノイズを抑制することができる。
（２）電線管１は、所定の幅の磁性テープ層３Ａ、３Ｂを所定の間隔を有して管長手方向に設けたので、管長手方向全体に渡って磁性テープ層を設けた場合と比較して屈曲性が良好になる。
【００２４】
（変形例）
なお、本発明の実施の形態は、上記実施の形態に限定されず、種々な実施の形態が可能
である。例えば、上記実施の形態では、シールド層５の内側と外側に磁性テープ層を設けたが、磁性テープ層をシールド層５の外側にのみ設けてもよく、シールド層５の内側にのみ設けてもよい。磁性テープ層をシールド層５の外側にのみ設けた場合は、図２（ａ）に示したように、コモンモードノイズ電流ｉが電線管１の外側を流れるモードの場合に、外側磁性テープ層３Ｂによってコモンモードノイズ電流ｉを低減することができる。磁性テープ層をシールド層５の内側にのみ設けた場合は、図２（ｂ）に示すように、コモンモードノイズ電流ｉが電線管１の内側を流れるモードの場合に、内側磁性テープ層３Ａによってコモンモードノイズ電流ｉを低減することができる。
【００２５】
また、磁性テープ層３Ａ、３Ｂは、磁性粉を含有した樹脂層でもよい。
【符号の説明】
【００２６】
１…ノイズ抑制機能付き電線管、２…樹脂管、３Ａ…内側磁性テープ層、
３Ｂ…外側磁性テープ層、４Ａ…内側樹脂テープ層、４Ｂ…外側樹脂テープ層、
５…シールド層、６…シース、１０…ケーブル、１１…インバータ、１２…モータ、
１３…フレーム、Ｄ…間隔、ｉ…コモンモードノイズ電流、Ｗ…幅
【図１】
2016226219.tif 000003
【図２】
2016226219.tif 000004